(57)【要約】【課題】  遮音された空間中において、その空間の外部で放音された必要な音声だけを正しく取得でき、それ以外の時には静寂性を保つことができる特定音声再生装置及び特定音声再生ヘッドホンを提供する。【解決手段】  特定音声再生装置１は、マイク２で集音した音声を音声記憶部１２にバッファするとともに、音声パターン登録部１７に予め登録された語句や音声パターンの有無を判定し、登録された語句や音声パターンを検出すると、その語句や音声パターンを記録した直前からの音声を音声記憶部１２から読み出して、スピーカ３から放音する。したがって、ユーザ６は、通常は屋外の騒音が遮音され静寂性が保たれた屋内（室内）で過ごすことができ、登録した語句や音声パターンを含む音声が屋外で放音されると、特定音声再生装置１がこれを検出して収録音声を放音するので、登録した語句などを聞き漏らすことがない。【選択図】  図１
2006093792.tif 000002
【特許請求の範囲】
【請求項１】
遮音された部屋の外部の音声を集音する集音手段と、
前記集音手段で集音した音声から特定の音声を検出する音声検出手段と、
前記集音手段で集音した音声をバッファする音声記憶手段と、
前記音声検出手段が特定の音声を検出すると、この特定の音声を含む音声を前記音声記憶手段から読み出して、前記遮音された部屋の内部に音声を放音する放音手段と、
を備えた特定音声再生装置。
【請求項２】
前記音声検出手段は、特定の語句を登録する語句登録手段と、前記集音手段で集音した音声に対して音声認識を行って、前記語句登録手段に登録された語句の検出を行う音声認識手段と、を備えた請求項１に記載の特定音声再生装置。
【請求項３】
前記音声検出手段は、特定の音声パターンを登録する波形パターン登録手段と、前記集音手段で集音した音声に対して周波数スペクトル及び波形パターンの分析を行い、前記波形パターン登録手段に登録された音声パターンを検出する音声分析手段と、を備えた請求項１または２に記載の特定音声再生装置。
【請求項４】
イヤーカップの内部の音声を集音する内部集音手段と、
前記内部集音手段で集音した音声と逆位相の音声を、前記イヤーカップの内部に音声を放音する放音手段と、
イヤーカップの外部の音声を集音する外部集音手段と、
前記外部集音手段で集音した音声から特定の音声を検出する音声検出手段と、
前記外部集音手段で集音した音声をバッファする音声記憶手段と、
前記音声検出手段が特定の音声を検出すると、この特定の音声を含む音声を前記音声記憶手段から読み出して、前記放音手段から放音させる特定音声出力手段と、
を備えた特定音声再生ヘッドホン。
【発明の詳細な説明】
【技術分野】
【０００１】
本発明は、遮音された空間の外部で発生した音声のうち特定の音声を検出すると、その音声を含む音声を遮音された空間の内部に放音する特定音声再生装置及び特定音声再生ヘッドホンに関する。
【背景技術】
【０００２】
近年、騒音を遮断して静かな環境を得るために様々なものが考案されている。例えば、家屋において外部の騒音を遮断する手段として２重ガラスを備えた防音サッシや遮音性に優れた防音建材（壁材）が普及しつつある。また、周囲の騒音を低減し、静けさを提供するノイズキャンセリング・ヘッドホンが開発されている（例えば、非特許文献１参照。）。さらに、騒音が特定できない定常騒音音場において、有効に騒音を消音する能動型消音装置が提案されている（例えば、特許文献１参照。）。
【非特許文献１】ボーズ・エクスポート・インク社ホームページ、クワイアットコンフォート（登録商標）２、［online］、［平成１６年５月２５日検索］、インターネット＜URL : http://www.bose-export.com/headphone/qc2/index.html＞
【特許文献１】特開２００３−１６７５８４公報
【発明の開示】
【発明が解決しようとする課題】
【０００３】
防音サッシや防音建材を家屋に使用することにより、外部の騒音を遮断して室内に静けさをもたらすことができる。しかしながら、防音サッシや防音建材は、屋外のすべての音声を遮断してしまうので、屋内にいる人は、例えば廃品回収を通知する音声や消防車のサイレンのような必要な音声情報や緊急情報を聞き漏らすことがあった。
【０００４】
一方、非特許文献１に記載のノイズキャンセリング・ヘッドホンは、低周波ノイズを主にキャンセルする仕様であり、安全性のために人の話声等の帯域はキャンセルしない。そのため、必要な話声（音声）だけでなく不必要な話声も常に聞こえてしまうという問題があった。
【０００５】
また、特許文献１に記載の能動型消音装置は、全帯域の定常騒音を消音することができるが、それ以外の音声を消音することを目的としていないので、不必要な音声を消音することができない。
【０００６】
そこで、本発明は、遮音された空間中において、その空間の外部で放音された必要な音声だけを聞くことができ、それ以外の時には静寂性を保つことができる特定音声再生装置及び特定音声再生ヘッドホンを提供することを目的とする。
【課題を解決するための手段】
【０００７】
この発明は、上記の課題を解決するための手段として、以下の構成を備えている。
【０００８】
（１）遮音された部屋の外部の音声を集音する集音手段と、
前記集音手段で集音した音声から特定の音声を検出する音声検出手段と、
前記集音手段で集音した音声をバッファする音声記憶手段と、
前記音声検出手段が特定の音声を検出すると、この特定の音声を含む音声を前記音声記憶手段から読み出して、前記遮音された部屋の内部に音声を放音する放音手段と、
を備えたことを特徴とする。
【０００９】
この構成においては、特定音声再生装置は、特定の音声を検出すると、この特定の音声を含む音声を音声記憶手段から読み出して、放音手段から放音させる。したがって、特定音声再生装置を使用することで、特定の音声を最初から聞くことができる。また、特定音声再生装置は、集音手段で集音して音声記憶手段に記録した音声を放音手段から放音するので、特定の音声として複数の音声を検出するように設定していた場合でも、ユーザはその音声を聞くことで、どの音声を検出したかを容易に判断できる。さらに、もし、特定音声再生装置が特定の音声を誤検出した場合でも、ユーザは実際の音声を聞くことで誤検出であったことを容易に判断できる。加えて、特定の音声を検出した時以外は、部屋の外部の音声が放音手段から放音されないので、遮音された部屋の内部において静寂性を保つことができ、部屋の外部で特定の音声を検出した時のみ、その音声を部屋の内部で聞くことができる。
【００１０】
（２）前記音声検出手段は、特定の語句を登録する語句登録手段と、前記集音手段で集音した音声に対して音声認識を行って、前記語句登録手段に登録された語句の検出を行う音声認識手段と、を備えたことを特徴とする。
【００１１】
この構成においては、特定音声再生装置は、音声認識を行って特定の語句を検出するので、語句登録手段に登録した特定の語句を確実に検出することが可能となる。
【００１２】
（３）前記音声検出手段は、特定の音声パターンを登録する波形パターン登録手段と、前記集音手段で集音した音声に対して周波数スペクトル及び波形パターンの分析を行い、前記波形パターン登録手段に登録された音声パターンを検出する音声分析手段と、を備えたことを特徴とする。
【００１３】
この構成においては、特定音声再生装置は、周波数スペクトル及び波形パターンの分析を行って特定の音声パターンを検出するので、波形パターン登録手段に登録した特定の波形パターンを確実に検出することが可能となる。
【００１４】
（４）イヤーカップの内部の音声を集音する内部集音手段と、
前記内部集音手段で集音した音声と逆位相の音声を、前記イヤーカップの内部に音声を放音する放音手段と、
イヤーカップの外部の音声を集音する外部集音手段と、
前記外部集音手段で集音した音声から特定の音声を検出する音声検出手段と、
前記外部集音手段で集音した音声をバッファする音声記憶手段と、
前記音声検出手段が特定の音声を検出すると、この特定の音声を含む音声を前記音声記憶手段から読み出して、前記放音手段から放音させる特定音声出力手段と、
を備えたことを特徴とする。
【００１５】
この構成においては、特定音声再生ヘッドホンは、内部集音手段でイヤーカップの内部の音声を集音して、内部集音手段で集音した音声と逆位相の音声を放音手段から放音させるので、イヤーカップの外部からイヤーカップの内側に侵入する音声をこの逆位相の音声によって打ち消すことができ、イヤーカップの内側を、外部の音声を遮音した空間にすることができる。また、特定音声再生ヘッドホンは、特定の音声を検出すると、この特定の音声を含む音声を音声記憶手段から読み出して放音手段から放音させる。したがって、ユーザは、聞く必要のある特定の音声が外部で放音されると、聞き漏らすことなく確実に聞くことができる。
【発明の効果】
【００１６】
本発明の特定音声再生装置は、防音サッシが取り付けられた家屋や防音室などに設けて、予め検出する音声や語句を登録することで、遮音された空間中にいる人が、その空間の外部で発生した必要な音声を検出した時だけ、その音声を含む音声を聞くことができ、それ以外の時には静けさを保つことができる。
【００１７】
また、本発明の特定音声再生ヘッドホンを装着したユーザは、直ちに静かな環境を得ることができるとともに、予め登録した音声がユーザの周囲で放音された時のみ、ヘッドホンを介してその音声を含む音声を聞くことができる。
【発明を実施するための最良の形態】
【００１８】
［第１実施形態］
図１は、本発明の第１実施形態に係る特定音声再生装置の概略構成を示すブロック図である。特定音声再生装置１は、防音サッシや防音建材を使用して屋外の騒音が遮音された家屋５の窓の隅などに設置されて屋外の音声を集音するマイク２、家屋５の屋内に居るユーザ６に対して必要な音声を放音するスピーカ３、及びマイク２で集音した音声から必要な音声だけを検出する回路部４から成る。また、回路部４は、Ａ／Ｄ変換部１１、音声記憶部１２、音声分析部１４、音声区間切出部１５、比較判定部１６、音声パターン登録部１７、音声再生部１８、Ｄ／Ａ変換部１９、制御部２１、スイッチ部２２、表示部２３、ＲＯＭ２４、及びＲＡＭ２５を備えている。
【００１９】
マイク２はＡ／Ｄ変換部１１に接続されており、マイク２で集音された屋外の音声（アナログ音声）は、Ａ／Ｄ変換部１１でディジタル化されて、音声記憶部１２及び音声分析部１４に出力される。音声記憶部１２は、ディジタル化された音声データを連続的に記録（バッファ）する。また、音声記憶部１２は、音声データの必要な部分を容易に読み出すことができるように、定期的に（例えば、秒単位で）記録時刻情報を音声データとともに記録する。
【００２０】
音声分析部１４は、ケプストラム分析、雑音除去や歪みの補正化を行った音声データを記録時刻情報とともに音声区間切出部１５へ出力する。
【００２１】
音声区間切出部１５は、音声分析部１４から出力された音声データから音声区間データを抽出して、記録時刻情報とともに比較判定部１６へ出力する。
【００２２】
比較判定部１６は、音声認識部１６ａ、声質分析部１６ｂ、及び音声パターン分析部１６ｃを備えており、音声区間切出部１５から出力された音声区間データ中に、音声パターン登録部１７に登録された語句、話者の声、及び音声パターンなどが含まれているか否かを判定する。すなわち、音声認識部１６ａは、音声区間データに含まれる語句の音声に対して音声認識（音素認識や単語認識など）を行って、音声パターン登録部１７に登録された語句が含まれているか否かを判定する。声質分析部１６ｂは、音声区間データに含まれる話者の音声に対して、周波数スペクトルや波形パターンの分析を行って、音声パターン登録部１７に登録された話者の声が含まれているか否かを判定する。音声パターン分析部１６ｃは、音声区間データに含まれる音声パターンに対して、周波数スペクトルや波形パターンの分析を行って、音声パターン登録部１７に登録された音声パターンが含まれているか否かを判定する。そして、比較判定部１６は、音声認識部１６ａ、声質分析部１６ｂ、及び音声パターン分析部１６ｃのいずれかで、音声区間データが音声パターン登録部１７に登録された語句、話者の声、及び音声パターンの少なくともいずれかを検出した場合には、検出した語句や音声の記録時刻情報とともに、検出した旨を伝える信号を音声再生部１８へ出力する。
【００２３】
音声パターン登録部１７は、特定の語句、特定の話者の声、特定の音声パターンなど特定音声再生装置１で検出する音声を予め登録する記憶手段である。
【００２４】
音声再生部１８は、比較判定部１６から出力された記録時刻情報及び信号を受信すると、この記録時刻情報に基づいて、記録時刻の直前からの音声データを音声記憶部１２から読み出して、Ｄ／Ａ変換部１９へ出力する。
【００２５】
Ｄ／Ａ変換部１９は、音声再生部１８から出力された音声データ（ディジタル音声）をアナログ化して、スピーカ３へ出力する。
【００２６】
スピーカ３は、Ｄ／Ａ変換部１９から出力された音声を放音する。また、スピーカ３は、屋内の壁や天井へ埋め込んで使用する埋め込み型のスピーカや、オーディオシステムに使用するＡＶスピーカなどを使用することが可能である。
【００２７】
制御部２１は、特定音声再生装置１の各部の動作を制御する。また、制御部２１は、スイッチ部２２から出力された信号に応じて、表示部２３へ特定の内容を表示させたり、ＲＯＭ２４からプログラムを読み出して実行したり、ＲＡＭ２５に対してデータの読み書きを行ったりする。
【００２８】
スイッチ部２２は、特定音声再生装置１の各種操作を行うための複数のスイッチを備えており、各スイッチの操作に応じた信号を制御部２１へ出力する。
【００２９】
表示部２３は、制御部２１から出力された信号に応じて、特定音声再生装置１がユーザ６に対して伝達する内容を表示する。
【００３０】
ＲＯＭ２４は、制御部２１で実行するプログラムなどを記憶する。
【００３１】
ＲＡＭ２５は、プログラムやデータを一時的に記憶する。
【００３２】
なお、上記の説明では、特定音声再生装置１の回路部４にマイク２及びスピーカ３を接続する構成としたが、これに限るものではなく、例えば、マイク２及びスピーカ３に無線通信部を設けるとともに、Ａ／Ｄ変換部１１及びＤ／Ａ変換部１９に無線通信部を接続することで、回路部４とマイク２の間、及び回路部４とスピーカ３の間を無線で接続することも可能である。
【００３３】
次に、特定音声再生装置１の動作の概略を説明する。特定音声再生装置１は、動作を開始すると、マイク２で集音した音声を音声記憶部１２に連続的に記録する（バッファする）とともに、音声パターン登録部１７に予め登録された語句や音声パターンの有無を判定し、登録された語句や音声パターンを検出すると、その語句や音声パターンを含む音声データを音声記憶部１２から読み出してスピーカ３から放音する。したがって、ユーザ６は、通常は防音サッシや防音建材が使用されて、屋外の騒音が遮音され静寂性が保たれた屋内（室内）で過ごすことができ、音声パターン登録部１７に登録した特定の語句や特定の音声パターンを含む音声が屋外で放音されると、特定音声再生装置１がこれを検出し、マイク２で集音された屋外の実際の音声を屋内で聞くことができるので、登録した特定の語句や特定の音声パターンを聞き漏らすことなく確実に聴取することができる。また、もし特定音声再生装置１の音声認識率や音声パターンの検出率が低いために語句や音声パターンを誤認識した場合でも、ユーザ６は実際の音声を聞くことができるので、誤認識したことを容易に判断できる。したがって、特定音声再生装置１の特定音声検出率は１００％である必要はなく、検出率が多少低くても全く問題ない。
【００３４】
続いて、特定音声再生装置１の動作の詳細について説明する。特定音声再生装置１を動作させる際には、検出する語句や音声パターンを音声パターン登録部１７に予め登録しておく必要がある。ユーザは、マイク２を使用するかまたはスイッチ部２２を操作して、音声パターン登録部１７へ特定の語句や音声パターンを登録することができる。ユーザがマイク２を使用して音声により登録を行う場合には、以下のような手順で登録を行う。
【００３５】
まず、ユーザが特定の語句やユーザの名前などを登録する場合には、マイク２を用いて語句の登録を行う旨の操作を行う。制御部２１は、スイッチ部２２からこの操作が行われたことを検出すると、マイク２から入力された音声を音声記憶部１２に記録するとともに音声の分析を開始する。例えば、ユーザ６が「助けて」と発声すると、音声分析部１４でノイズの除去や補正が行われて、音声区間切出部１５で「助けて」という語句の音声データが切り出される。比較判定部１６では、音声認識部１６ａで音声認識を行い、この語句が音声パターン登録部１７に登録された「助けて」という語句であることを検出すると、この認識情報が制御部２１へ出力される。制御部２１は、「助けて」という語句が検出すべき語句として正しいか否かを確認する内容を表示部２３に表示させる。そして、制御部２１は、スイッチ部２２から認識が正しく行われていることを確認する入力があったことを検出すると、検出する語句として「助けて」という語句を音声パターン登録部１７に登録する。
【００３６】
また、ユーザが特定の音声パターンを登録する場合には、マイク２を用いて音声パターンの登録を行う旨の操作を行う。制御部２１は、スイッチ部２２でこの操作が行われたことを検出すると、マイク２から入力された音声を音声記憶部１２に記録するとともに音声の分析を開始する。例えば、ユーザ６が防犯ブザーの警報音を発生させると、音声分析部１４でノイズの除去や補正が行われて、音声区間切出部１５でこの警報音の音声データが切り出される。比較判定部１６では、周波数スペクトルの成分などの分析・抽出を行い、これらの処理が終了すると制御部２１にその旨を伝達する信号が出力される。制御部２１は、音声再生部１８に音声記憶部１２から読み出させた防犯ブザーの警報音を再生させ、この警報音が検出すべき音声パターンとして正しいか否かを確認する内容を表示部２３に表示させる。そして、制御部２１は、スイッチ部２２から認識が正しく行われていることを確認する入力があったことを検出すると、検出する音声パターンとしてこの防犯ブザーの警報音を音声パターン登録部１７に登録する。
【００３７】
また、ユーザが特定の話者の声を登録する場合には、スイッチ部２２からその旨の操作を行い、登録する話者の録音音声をマイク２から入力するか、または直接その話者にマイク２に向かって定型文を読み上げてもらうことで、上記のユーザが特定の音声パターンを登録する場合と同様に、音声パターン登録部１７にこの話者の声を登録することができる。
【００３８】
次に、ユーザがスイッチ部２２を操作して音声パターン登録部１７へ特定の語句や音声パターンを登録する場合には、以下のような手順で登録を行う。
【００３９】
まず、ユーザが特定の語句やユーザの名前などを登録する場合には、スイッチ部２２を用いて語句の登録を行う旨の操作を行う。制御部２１は、スイッチ部２２からこの操作が行われたことを検出すると、語句の入力が完了するまで待機する。制御部２１は、スイッチ部２２から、例えば、ユーザ６が「火事」という語句が入力されたことを検出すると、この入力語句の情報が制御部２１へ出力される。制御部２１は、「火事」という語句が検出すべき語句として正しいか否かを確認する内容を表示部２３に表示させる。そして、制御部２１は、スイッチ部２２から認識が正しく行われていることを確認する入力があったことを検出すると、検出する語句として「火事」という語句（単語）を音声パターン登録部１７に登録する。
【００４０】
また、音声パターン登録部１７には、検出する語句として予め複数の語句が登録されており、ユーザ６は検出する語句を選択することもできる。ユーザ６が、スイッチ部２２を操作して検出する語句を選択する旨の操作を行う。制御部２１は、この操作を検出すると表示部２３に検出する語句を表示させる。例えば、緊急事態を検出する緊急語句として「火事」・「助けて」・「待て」などの語句が、移動販売などを検出する生活語句として「古新聞」・「やきいも」・「かき氷」などの語句が表示部２３に表示される。ユーザ６は、スイッチ部２２を操作することで、これらの語句から１つまたは複数の語句を選択することも、緊急語句や生活語句を一括して選択することも可能である。制御部２１は、語句が選択されると、選択された語句が正しいか否かを確認する内容を表示部２３に表示させる。そして、制御部２１は、スイッチ部２２から認識が正しく行われていることを確認する入力があったことを検出すると、検出する語句として選択された語句を音声パターン登録部１７に登録する。
【００４１】
また、音声パターン登録部１７には、検出する音声パターンとして予め複数の音声パターンが登録されており、ユーザ６は検出する音声パターンを選択することもできる。ユーザ６が、スイッチ部２２を操作して検出する音声パターンを選択する旨の操作を行う。制御部２１は、この操作を検出すると表示部２３に検出する音声パターン名を表示させる。例えば、緊急事態を検出する緊急音声パターンとして「救急車」・「消防車」・「パトカー」などの音声パターン名が、時刻を検出する生活音声パターンとして「（学校の）チャイム」・「（工場の）サイレン」などの音声パターン名が表示部２３に表示される。ユーザ６は、スイッチ部２２を操作することで、これらの音声パターンから１つまたは複数の音声パターンを選択することも、緊急音パターンや生活音声パターンを一括して選択することも可能である。制御部２１は、音声パターンが選択されると、選択された音声パターンが正しいか否かを確認する内容を表示部２３に表示させるとともに、音声記憶部１２に予め記録されている各音声パターンを読み出させて音声再生部１８に再生させる。そして、制御部２１は、スイッチ部２２から認識が正しく行われていることを確認する入力があったことを検出すると、検出する音声パターンとして選択された音声パターンを音声パターン登録部１７に登録する。
【００４２】
以上のように、検出する語句、話者、音声パターンなどの登録が完了すると、特定音声再生装置１を稼働させることが可能となる。
【００４３】
特定音声再生装置１の制御部２１は、動作を開始すると、マイク２で集音した音声を音声記憶部１２に記録するとともに、音声分析部１４、音声区間切出部１５、及び比較判定部１６により音声パターン登録部１７に登録した特定の語句、特定の話者の声、特定の音声パターンなど特定の音声の検出を行う。
【００４４】
ここで、特定音声再生装置１の音声パターン登録部１７には、一例としてユーザ６の名前、ユーザ６の子供の声、救急車及びパトカーの音声パターンが予め登録されているものとして、以下に動作を説明する。
【００４５】
特定音声再生装置１では、音声パターン登録部１７に登録した語句、話者の声、音声パターンなどを検出していない時には、スピーカ３からは全く音声が出力されない。したがって、家屋５には、前記のように防音サッシや防音建材が使用されているので、屋外の騒音が遮断された静寂な空間に屋内を保つことができる。
【００４６】
特定音声再生装置１の稼働中に、屋外で誰かがユーザ６の名前を呼んだ場合、特定音声再生装置１は、マイク２で集音した音声に、ユーザ６の名前が含まれていることを、比較判定部１６の音声認識部１６ａで行った音声認識により検出すると、音声再生部１８へ特定語句を検出したことを通知する信号と記録時刻情報を出力する。音声再生部１８は、この信号を検出すると、記録時刻情報に基づいてユーザ６の名前を誰かが呼んだ音声を記録する直前（例えば０．５秒前）から、その音声を含む音声データを音声記憶部１２から読み出して再生し、スピーカ３からその音声が放音される。これにより、家屋５の屋内に居るユーザ６は、屋外で放音された音声を聞くことができるので、ユーザ６の名前が呼ばれたことを知ることができるとともに、誰が呼んだのかを、その再生音声から判断することが可能となる。
【００４７】
また、特定音声再生装置１の稼働中に、ユーザ６の子供が友達と話しながら家の近くまで来た場合、特定音声再生装置１は、マイク２で集音した音声に、ユーザ６の子供の声が含まれていることを、比較判定部１６の声質分析部１６ｂで行った周波数スペクトルや波形パターンの分析により検出すると、音声再生部１８へ特定の話者の声を検出したことを通知する信号と記録時刻情報を出力する。音声再生部１８は、この信号を検出すると、記録時刻情報に基づいてユーザ６の子供の声を記録する直前から、その音声を含む音声データを音声記憶部１２から読み出して再生し、スピーカ３からその音声が放音される。これにより、家屋５の屋内に居るユーザ６は、屋外でユーザ６の子供が発した声を聞くことができるので、子供が帰ってきたことを判断できる。また、特定音声再生装置１が、ユーザ６の子供と似た声の別人を誤認識して、スピーカ３からその音声を放音した場合でも、ユーザ６はマイク２で集音した実際の音声を聞くことができるので、子供の声であるか否かを、声質・話し方・会話の内容などから容易に推測できる。
【００４８】
さらに、特定音声再生装置１の稼働中に、家屋５の近隣に救急車やパトカーが停車した場合、特定音声再生装置１は、マイク２で集音した音声に、救急車やパトカーのサイレンの音声が含まれていることを、比較判定部１６の音声パターン分析部１６ｃで行った周波数スペクトルや音声パターンの分析により検出すると、音声再生部１８へ特定の音声パターンを検出したことを通知する信号と記録時刻情報を出力する。音声再生部１８は、救急車やパトカーのサイレンの音声を記録する直前から、その音声を含む音声データを音声記憶部１２から読み出して再生し、スピーカ３からその音声が放音される。これにより、家屋５の屋内に居るユーザ６は、屋外で発せられた特定の音声パターンを聞くことで、家屋５の近隣で救急車またはパトカーが停車したことを判断できる。
【００４９】
なお、特定音声再生装置１では、音声再生部１８が、特定の音声を記録する直前から、その特定の音声を含む音声データを音声記憶部１２から読み出して、スピーカ３から放音するが、ユーザは、その特定の音声を含む音声だけでなく、一定時間分の音声データを読み出すと音声データの読み出しを停止するように設定することができる。これにより、特定の語句が含まれる音声を検出した際に、それ以降の音声を聞くことが可能となる。また、ユーザは、スイッチ部２２を操作して音声データの読み出しを停止するまで、連続的に音声が出力されるように設定することもできる。これにより、ユーザはしばらくの間、外部の音声を聞くことができる。
【００５０】
また、特定音声再生装置１は、音声記憶部１２から音声データの読み出しを一定時間連続して行った場合、音声記憶部１２からの音声データの読み出しを停止して、マイク２で集音する音声を、そのままスピーカ３から放音するように設定することができる。さらに、上記のように設定した場合には、一部の音声が再生されなくなるが、これを防ぐために、音声再生部１８で話速変換を行って、音声記憶部１２から読み出した音声を、マイク２から集音した音声に切り換えることも可能である。これにより、ユーザは、リアルタイムに外部の音声を聞くことができる。
【００５１】
以上の説明では、特定音声再生装置１の回路部４に音声認識辞書や音声パターン登録部１７を設けた構成について説明したが、本発明はこれに限るものではなく、他の構成であっても良い。例えば、特定音声再生装置１をＬＡＮのようなネットワークに接続して、比較判定部１６に設ける音声認識部１６ａ・声質分析部１６ｂ・音声パターン分析部１６ｃを外部のサーバ内に設けて、ネットワークを介して外部のサーバにアクセスする構成であっても良い。
【００５２】
また、マイク２やスピーカ３を回路部４に直接接続する構成を例に挙げて説明したが、本発明はこれに限るものではなく、他の構成であっても良い。例えば、マイク２と回路部４の間、またはスピーカ３と回路部４の間をネットワークを介して接続する構成とする。そして、マイク２で集音した音声をネットワーク経由で回路部４に送ったり、スピーカ３から放音させる音声をネットワーク経由でスピーカ３に送ったりする構成であっても良い。これにより、遠隔地から特定の語句や音声パターンを検出する装置として使用することが可能となる。
【００５３】
また、マイク２やスピーカ３や音声記憶部１２を複数（例えば２つ）用意し、多チャンネル化することも可能である。この場合、複数のスピーカから放音される音声により、臨場感をさらに高めることができる。また、音声の聞こえる方向が判別できるようにマイクとスピーカを関連づけて配置することで、各スピーカから放音される音声により、どちらの方向から音声が聞こえたかなどを判別することもできる。
【００５４】
また、本発明の実施形態に係る特定音声再生装置１を一定間隔で複数設置し、各特定音声再生装置１のスピーカ３を１ヶ所に設けて放音される音声をモニタすることで、警備システムに応用することが可能である。例えば、上記のように設置した各特定音声再生装置１の音声パターン登録部１７に、緊急事態を知らせる語句や音声パターンを登録しておき、各特定音声再生装置１のスピーカ３を集中管理室に設置する。このように構成することで、緊急事態を知らせる語句や音声パターンを検出した特定音声再生装置１のみが、緊急事態発生時のみマイク２で集音した音声をスピーカ３から放音する。したがって、集中管理室の在駐している管理者は、容易に緊急事態が発生した箇所を把握することができる。また、各特定音声再生装置１は、通常はマイク２で集音した音声をスピーカ３から放音しないので、集中管理室内において静けさを保つことができる。
【００５５】
［第２実施形態］
第１実施形態で説明した特定音声再生装置は、遮音ヘッドホンに適用することが可能である。すなわち、外部の音声と逆位相の音声をイヤーカップの内側に放音することで外部からの音声（騒音）を打ち消す遮音ヘッドホンに、本発明の特定音声再生装置を適用することで、この遮音ヘッドホンを装着したユーザは、直ちに静けさを得ることができるとともに、予め登録した音声がユーザの周囲で放音された時のみ、このヘッドホンを介してその音声を聞くことができる。
【００５６】
以下、本発明の特定音声再生装置を遮音ヘッドホンに適用した特定音声再生ヘッドホンについて、その詳細を説明する。図２は、本発明の第２実施形態に係る特定音声再生装置の概略構成を示すブロック図である。ここで、図２に示す特定音声再生ヘッドホン５１において、図１に示した特定音声再生装置１と同様の構成については、同じ符号を付してその詳細な説明を省略する。また、特定音声再生ヘッドホン５１は、ユーザの両耳にイヤーカップを装着する構造であるが、説明を簡略化するために、一方のイヤーカップのみを図示する。
【００５７】
特定音声再生ヘッドホン５１は、クッション５２が周囲に取り付けられたおわん型のイヤーカップ５３に、マイク及びスピーカを設けた構成である。すなわち、イヤーカップ５３は、その外側にイヤーカップ５３の外部の音声を集音するマイク２が設けられている。また、イヤーカップ５３の内側には、イヤーカップ５３の内側に音声を放音するスピーカ３と、外部からイヤーカップ５３の内側に伝搬する音声を集音するマイク５４と、が設けられている。そして、マイク２は、回路部４’のＡ／Ｄ変換部１１に、スピーカ３は回路部４’のＤ／Ａ変換部１９に、及びマイク５４は、回路部４’のＡ／Ｄ変換部５５に、それぞれ接続されている。
【００５８】
回路部４’は、特定音声再生装置１の回路部４に、Ａ／Ｄ変換部５５及び騒音消音部５６を追加した構成であり、それ以外は回路部４とすべて同じ構成である。
【００５９】
Ａ／Ｄ変換部５５は、入力側がマイク５４に接続され、出力側が騒音消音部５６に接続されている。騒音消音部５６は、Ａ／Ｄ変換部５５とＤ／Ａ変換部１９の間に接続されている。
【００６０】
マイク５４が集音した音声は、Ａ／Ｄ変換部５５でディジタル化されて、騒音消音部５６に出力される。
【００６１】
騒音消音部５６は、イヤーカップ５３の内側でマイク５４が集音したイヤーカップ５３の内側に外部から侵入する音声（騒音）を検出して、この音声と逆位相の音声信号を生成して、Ｄ／Ａ変換部１９へこの音声データを出力する。
【００６２】
Ｄ／Ａ変換部１９は、騒音消音部５６から出力された音声データと、音声再生部１８から出力された音声データと、をアナログ化してスピーカ３へ出力する。
【００６３】
これにより、スピーカ３からは、外部から侵入する音声（騒音）と逆位相の音声が放音されるので、この逆位相の音声と、外部から侵入する音声とが打ち消し合う。また、特定音声再生ヘッドホン５１は、特定音声再生装置１と同様に、検出する語句、話者の声、音声パターンなどを予め音声パターン登録部１７に登録しておくことで、イヤーカップ５３の外部で特定の語句や音声パターンを含む音声が放音された場合のみ、その音声を検出してスピーカ３から放音する。
【００６４】
したがって、特定音声再生ヘッドホン５１を装着したユーザは、特定音声再生装置１を使用した場合と同様に、予め登録した特定の音声を検出した時のみ外部の音声を聞くことができ、通常は静けさを得ることができる。
【００６５】
一例として、電車内で特定音声再生ヘッドホン５１を使用する場合には、スイッチ部２２を操作して、下車する駅名を音声パターン登録部１７に予め登録しておくと良い。これにより、特定音声再生ヘッドホン５１は、下車する駅に到着する直前の車内アナウンスを検出して、スピーカ３からその音声を放音するので、下車する駅の直前まで電車内において静かな環境を得ることができ、また、電車を乗り過ごしてしまうのを防止できる。
【００６６】
また、従来の遮音ヘッドホンは、低周波ノイズを主にキャンセルする仕様であり、安全性のために人の話声等の帯域はキャンセルしない仕様であったが、本発明の特定音声再生ヘッドホン５１は、上記のように必要な音声を確実に聞くことができるので、低周波ノイズだけでなく全帯域のノイズをキャンセルする仕様にすることができる。
【００６７】
このように、特定音声再生ヘッドホン５１は、特定音声再生装置１と構造上の差異はあるが、特定音声再生装置１と同様に特定の音声のみを検出してユーザに対して放音させることができる。
【図面の簡単な説明】
【００６８】
【図１】本発明の第１実施形態に係る特定音声再生装置の概略構成を示すブロック図である。
【図２】本発明の第２実施形態に係る特定音声再生装置の概略構成を示すブロック図である。
【符号の説明】
【００６９】
１−特定音声再生装置    ２−マイク    ３−スピーカ    ４−回路部
５−家屋    １１−Ｄ／Ａ−変換部    １２−音声記憶部
１４−音声分析部    １５−音声区間切出部
１６−比較判定部    １６ａ−音声認識部    １６ｂ−声質分析部
１６ｃ−音声パターン分析部    １７−音声パターン登録部
１８−音声再生部    １９−Ａ／Ｄ変換部    ２１−制御部
２２−スイッチ部    ２３−表示部    ５１−特定音声再生ヘッドホン
５２−クッション    ５３−イヤーカップ    ５４−マイク
５５−変換部    ５６−騒音消音部
【図１】
2006093792.tif 000003
【図２】
2006093792.tif 000004